(57)【要約】【課題】コネクタの端子を静電気防止用に占有せずに簡単な構成で安定的に静電気を逃がすことが可能なコネクタ結合型の情報処理装置等を提供する。【解決手段】第一のコネクタ２側の第一のコネクタガイド溝７と第二のコネクタ４側の第二のコネクタガイド６との嵌合を利用して、コネクタが嵌合する前に、電子機器の筐体１に蓄積された静電気を逃がす。また、第一のコネクタ２側のコネクタの保護用蓋と本体装置側のコネクタの接触を利用し、コネクタが嵌合する前に静電気を逃がす。第二のコネクタ４の嵌合口側に設置された本体装置の筐体受け２５に、第一のコネクタ２を備えた電子機器の筐体１が挿入されるのを利用して、コネクタが嵌合する前に静電気を逃がす。【選択図】　　　図６
2004039339.tif 000002
【特許請求の範囲】
【請求項１】
本体装置側の装置コネクタに嵌合されて、その装置コネクタのコネクタ端子に電気的に接続される機器側コネクタ端子を有する機器コネクタを備えた電子機器において、
前記機器コネクタは、当該電子機器の筐体に電気的に接続された第一の導電性部材を備え、
前記機器コネクタが前記装置コネクタに嵌合する前に、前記本体装置側のグランドに接続される第二の導電性部材と前記第一の導電性部材が当接するように、該第一の導電性部材を配置したことを特徴とする電子機器。
【請求項２】
第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、
前記第一のコネクタは、前記電子機器の筐体に電気的に接続された第一の導電性部材を備え、
前記第一のコネクタが前記第二のコネクタに嵌合する前に、前記電子装置側のグランドに接続される第二の導電性部材と前記第一の導電性部材が当接するように構成したことを特徴とする情報処理装置。
【請求項３】
第一のコネクタ端子を有する第一のコネクタと、前記第一のコネクタに着脱自在に嵌合され、前記第一のコネクタ端子に電気的に接続される第二のコネクタ端子を有する第二のコネクタとから構成されたコネクタ装置において、
前記第一のコネクタは、筐体に電気的に接続された第一の導電性部材を備え、
前記第二のコネクタは、グランドに接続された第二の導電性部材とを備え、
前記第一のコネクタが前記第二のコネクタに嵌合する前に、前記第一のコネクタの前記第一の導電性部材と前記第二のコネクタの前記第二の導電性部材とが当接するように構成したことを特徴とするコネクタ装置。
【請求項４】
本体装置側の装置コネクタに嵌合されて、その装置コネクタのコネクタ端子に電気的に接続される機器側コネクタ端子を有する機器コネクタを備えた電子機器において、
前記機器コネクタは、
該機器コネクタの嵌合方向に沿って形成され、前記装置コネクタのガイド部に嵌合されるガイド手段と、
前記ガイド手段に形成され、当該電子機器の筐体に電気的に接続された第一の導電性部材とを備え、
前記機器コネクタが前記装置コネクタに嵌合する前に、前記装置コネクタの前記ガイド部に形成されたアース用の第二の導電性部材と前記第一の導電性部材とが当接するように、該第一の導電性部材を配置したことを特徴とする電子機器。
【請求項５】
本体装置側の装置コネクタに嵌合されて、その装置コネクタのコネクタ端子に電気的に接続される機器側コネクタ端子を有する機器コネクタを備えた電子機器において、
前記機器コネクタは、
当該機器コネクタの先端側に配置されて前記機器側コネクタ端子を保護し、該機器コネクタが前記装置コネクタに嵌合するときに前記機器側コネクタ端子を露出すべく当該電子機器の筐体内に後退する導電性のカバー部材と、
前記カバー部材と前記筐体を電気的に接続する第一の導電性部材とを備え、
前記機器コネクタが前記装置コネクタに嵌合する前に、前記カバー部材の一部が前記本体装置側に形成されたアース用の第二の導電性部材に当接するように前記カバー部材を構成したことを特徴とする電子機器。
【請求項６】
前記機器コネクタは、前記カバー部材を嵌合前の定常位置へ付勢する戻しバネを備え、前記カバー部材と前記戻しバネと前記第一の導電性部材とを導通するように構成したことを特徴とする請求項５記載の電子機器。
【請求項７】
前記カバー部材のガイドピンを前記戻しバネのガイドとしたことを特徴とする請求項６記載の電子機器。
【請求項８】
第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、
前記第一のコネクタは、該第一のコネクタの嵌合方向に沿って形成されたガイド手段と、前記電子機器の筐体と電気的に接続される形で前記ガイド手段に形成された第一の導電性部材とを備え、
前記第二のコネクタは、前記第一のコネクタの前記ガイド手段が嵌合されるガイド部と、前記電子装置のグランドに接続される形で前記ガイド部に形成された第二の導電性部材とを備え、
前記第一のコネクタが前記第二のコネクタに嵌合する前に、前記第一のコネクタの前記第一の導電性部材と前記第二のコネクタの前記第二の導電性部材とが当接するように構成したことを特徴とする情報処理装置。
【請求項９】
第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、
前記第一のコネクタは、
当該第一のコネクタの先端側に配置されて前記第一のコネクタ端子を保護し、該第一のコネクタが前記第二のコネクタに嵌合するときに前記第一のコネクタ端子を露出すべく前記電子機器の筐体内に後退する導電性のカバー部材と、前記カバー部材と前記筐体を電気的に接続する第一の導電性部材とを備え、
前記第二のコネクタは、
前記第一のコネクタの前記カバー部材の一部が当接する位置に配置され且つ前記電子装置のグランドに接続された第二の導電性部材を備え、
前記第一のコネクタが前記第二のコネクタに嵌合する前に、前記カバー部材の一部が前記第二の導電性部材に当接するように構成したしたことを特徴とする情報処理装置。
【請求項１０】
前記第一のコネクタは、前記カバー部材を嵌合前の定常位置へ付勢する戻しバネを備え、前記カバー部材と前記戻しバネと前記第一の導電性部材とを導通するように構成したことを特徴とする請求項９記載の情報処理装置。
【請求項１１】
前記カバー部材のガイドピンを前記戻しバネのガイドとしたことを特徴とする請求項１０記載の情報処理装置。
【請求項１２】
第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、
前記電子機器の前記第一のコネクタは、当該第一のコネクタの嵌合方向に沿って形成されたガイド手段と、当該電子機器の筐体と電気的に接続される形で前記ガイド手段に形成された第一の導電性部材とを備え、
前記電子装置は、前記第一のコネクタを備えた前記電子機器の筐体が挿入される筐体受け部を前記第二のコネクタの嵌合口側に設置すると共に、前記第一のコネクタの前記ガイド手段に嵌合されるべく前記筐体受け部に形成され前記第一のコネクタを前記第二のコネクタへと案内するガイド部と、該電子装置のグランドに接続される形で前記ガイド部に形成された第二の導電性部材とを備え、
前記第一のコネクタが前記第二のコネクタに嵌合する前に、前記電子装置の前記第二の導電性部材と前記電子機器の前記第一の導電性部材が当接するように構成したことを特徴とする情報処理装置。
【請求項１３】
第一のコネクタ端子を有する第一のコネクタと、前記第一のコネクタに着脱自在に嵌合され、前記第一のコネクタ端子に電気的に接続される第二のコネクタ端子を有する第二のコネクタとから構成されたコネクタ装置において、
前記第一のコネクタは、該第一のコネクタの嵌合方向に沿って形成されたガイド手段と、筐体に電気的に接続される形で前記ガイド手段に形成された第一の導電性部材とを備え、
前記第二のコネクタは、前記第一のコネクタの前記ガイド手段が嵌合されるガイド部と、グランドに接続される形で前記ガイド部に形成された第二の導電性部材とを備え、
前記第一のコネクタが前記第二のコネクタに嵌合する前に、前記第一のコネクタの前記第一の導電性部材と前記第二のコネクタの前記第二の導電性部材とが当接するように構成したことを特徴とするコネクタ装置。
【請求項１４】
第一のコネクタ端子を有する第一のコネクタと、前記第一のコネクタに着脱自在に嵌合され、前記第一のコネクタ端子に電気的に接続される第二のコネクタ端子を有する第二のコネクタとから構成されたコネクタ装置において、
前記第一のコネクタは、
当該第一のコネクタの先端側に配置されて前記第一のコネクタ端子を保護し、該第一のコネクタが前記第二のコネクタに嵌合するときに前記第一のコネクタ端子を露出すべく筐体内に後退する導電性のカバー部材と、前記カバー部材と前記筐体を電気的に接続する第一の導電性部材とを備え、
前記第二のコネクタは、
前記第一のコネクタの前記カバー部材の一部が当接する位置に配置され且つグランドに接続された第二の導電性部材を備え、
前記第一のコネクタが前記第二のコネクタに嵌合する前に、前記カバー部材の一部が前記第二の導電性部材に当接するように構成したことを特徴とするコネクタ装置。
【請求項１５】
前記第一のコネクタは、前記カバー部材を嵌合前の定常位置へ付勢する戻しバネを備え、前記カバー部材と前記戻しバネと前記第一の導電性部材とを導通するように構成したことを特徴とする請求項１４記載のコネクタ装置。
【請求項１６】
前記カバー部材のガイドピンを前記戻しバネのガイドとしたことを特徴とする請求項１５記載のコネクタ装置。
【発明の詳細な説明】
【０００１】
【発明の属する技術分野】
本発明は、コンピュータ等の本体側装置と、ハードディスクや半導体メモリ等の電子部品を内蔵する電子機器とがコネクタを介して着脱自在に接続される情報処理装置等に関し、特に静電気対策を講じた情報処理装置等に関する。
【０００２】
【従来の技術】
従来のこの種の分野の技術として、例えば、ハードディスクや半導体メモリ等の記憶媒体を内蔵し、コンピュータ等の本体装置への着脱可能な電子機器に関して、特開平１１−３４０５号公報に開示されるものがある。これは、半導体メモリを内蔵したコンパクトフラッシュ（登録商標）カード等のメモリカードをデジタルカメラへ着脱する場合において、メモリカードに蓄積された静電気を、カード表裏面に設けられた金属板状カバーと接触バネ片を経由し、さらに短絡金具で回路基板の接地導体へと導いてコネクタのアース用特定端子に接続し、電子機器本体側の接地電位と同レベルになるように構成されている。
【０００３】
一方、特開平１１−０６７４８７号公報では、不要輻射ノイズの防止や静電気による素子の破壊を、信号伝送経路間に光結合手段を設けて防止する技術が提案されている。
【０００４】
【発明が解決しようとする課題】
しかしながら、上記従来例では次のような問題点があった。
【０００５】
上記特開平１１−３４０５号公報の技術に関しては、アース経路が複雑で、且つ接触片による不安定な接触箇所が多く存在し、したがって安定した静電気経路が構成できないばかりか、コネクタの端子として少なくとも１つの専用端子を占有してしまうといった問題があった。
【０００６】
さらに、上記特開平１１−０６７４８７公報の技術に関しては、回路構成が複雑で装置自体が高価になるといった問題があった。
【０００７】
また、ハードディスク等を内蔵し、コンピュータなどの本体装置に着脱可能な電子機器（所謂リムーバブルハードディスク装置）は一般的に知られているが、この電子機器のコネクタと本体装置のコネクタとの着脱による静電気対策については、コネクタの端子を静電気防止用に占有せず、且つ簡単な構成で安定的に静電気を逃がすような対策は採られていなかった。
【０００８】
本発明は上記従来の問題点に鑑み、コネクタの端子を静電気防止用に占有せずに簡単な構成で安定的に静電気を逃がすことが可能な電子機器等を提供することを目的とする。
【０００９】
【課題を解決するための手段】
上記目的を達成するために、　本発明の電子機器では、本体装置側の装置コネクタに嵌合されて、その装置コネクタのコネクタ端子に電気的に接続される機器側コネクタ端子を有する機器コネクタを備えた電子機器において、前記機器コネクタは、当該電子機器の筐体に電気的に接続された第一の導電性部材を備え、前記機器コネクタが前記装置コネクタに嵌合する前に、前記本体装置側のグランドに接続される第二の導電性部材と前記第一の導電性部材が当接するように、該第一の導電性部材を配置したことを特徴とする。
【００１０】
本発明の情報処理装置では、第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、前記第一のコネクタは、前記電子機器の筐体に電気的に接続された第一の導電性部材を備え、前記第一のコネクタが前記第二のコネクタに嵌合する前に、前記電子装置側のグランドに接続される第二の導電性部材と前記第一の導電性部材が当接するように構成したことを特徴とする。
【００１１】
本発明のコネクタ装置では、第一のコネクタ端子を有する第一のコネクタと、前記第一のコネクタに着脱自在に嵌合され、前記第一のコネクタ端子に電気的に接続される第二のコネクタ端子を有する第二のコネクタとから構成されたコネクタ装置において、前記第一のコネクタは、筐体に電気的に接続された第一の導電性部材を備え、前記第二のコネクタは、グランドに接続された第二の導電性部材とを備え、前記第一のコネクタが前記第二のコネクタに嵌合する前に、前記第一のコネクタの前記第一の導電性部材と前記第二のコネクタの前記第二の導電性部材とが当接するように構成したことを特徴とする。
【００１２】
本発明の電子機器では、本体装置側の装置コネクタに嵌合されて、その装置コネクタのコネクタ端子に電気的に接続される機器側コネクタ端子を有する機器コネクタを備えた電子機器において、前記機器コネクタは、該機器コネクタの嵌合方向に沿って形成され、前記装置コネクタのガイド部に嵌合されるガイド手段と、前記ガイド手段に形成され、当該電子機器の筐体に電気的に接続された第一の導電性部材とを備え、前記機器コネクタが前記装置コネクタに嵌合する前に、前記装置コネクタの前記ガイド部に形成されたアース用の第二の導電性部材と前記第一の導電性部材とが当接するように、該第一の導電性部材を配置したことを特徴とする。
【００１３】
本発明の電子機器では、本体装置側の装置コネクタに嵌合されて、その装置コネクタのコネクタ端子に電気的に接続される機器側コネクタ端子を有する機器コネクタを備えた電子機器において、前記機器コネクタは、当該機器コネクタの先端側に配置されて前記機器側コネクタ端子を保護し、該機器コネクタが前記装置コネクタに嵌合するときに前記機器側コネクタ端子を露出すべく当該電子機器の筐体内に後退する導電性のカバー部材と、前記カバー部材と前記筐体を電気的に接続する第一の導電性部材とを備え、前記機器コネクタが前記装置コネクタに嵌合する前に、前記カバー部材の一部が前記本体装置側に形成されたアース用の第二の導電性部材に当接するように前記カバー部材を構成したことを特徴とする。
【００１４】
本発明の情報処理装置では、第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、前記第一のコネクタは、該第一のコネクタの嵌合方向に沿って形成されたガイド手段と、前記電子機器の筐体と電気的に接続される形で前記ガイド手段に形成された第一の導電性部材とを備え、前記第二のコネクタは、前記第一のコネクタの前記ガイド手段が嵌合されるガイド部と、前記電子装置のグランドに接続される形で前記ガイド部に形成された第二の導電性部材とを備え、前記第一のコネクタが前記第二のコネクタに嵌合する前に、前記第一のコネクタの前記第一の導電性部材と前記第二のコネクタの前記第二の導電性部材とが当接するように構成したことを特徴とする。
【００１５】
本発明の情報処理装置では、第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、前記第一のコネクタは、当該第一のコネクタの先端側に配置されて前記第一のコネクタ端子を保護し、該第一のコネクタが前記第二のコネクタに嵌合するときに前記第一のコネクタ端子を露出すべく前記電子機器の筐体内に後退する導電性のカバー部材と、前記カバー部材と前記筐体を電気的に接続する第一の導電性部材とを備え、前記第二のコネクタは、前記第一のコネクタの前記カバー部材の一部が当接する位置に配置され且つ前記電子装置のグランドに接続された第二の導電性部材を備え、前記第一のコネクタが前記第二のコネクタに嵌合する前に、前記カバー部材の一部が前記第二の導電性部材に当接するように構成したしたことを特徴とする。
【００１６】
本発明の情報処理装置では、第一のコネクタ端子を有する第一のコネクタを備えた電子機器と、前記第一のコネクタに嵌合されて、前記第一のコネクタ端子に電気的に接続される第二のコネクタ端子を有する第二のコネクタを備えた電子装置とを備えた情報処理装置において、前記電子機器の前記第一のコネクタは、当該第一のコネクタの嵌合方向に沿って形成されたガイド手段と、当該電子機器の筐体と電気的に接続される形で前記ガイド手段に形成された第一の導電性部材とを備え、前記電子装置は、前記第一のコネクタを備えた前記電子機器の筐体が挿入される筐体受け部を前記第二のコネクタの嵌合口側に設置すると共に、前記第一のコネクタの前記ガイド手段に嵌合されるべく前記筐体受け部に形成され前記第一のコネクタを前記第二のコネクタへと案内するガイド部と、該電子装置のグランドに接続される形で前記ガイド部に形成された第二の導電性部材とを備え、前記第一のコネクタが前記第二のコネクタに嵌合する前に、前記電子装置の前記第二の導電性部材と前記電子機器の前記第一の導電性部材が当接するように構成したことを特徴とする。
【００１７】
本発明のコネクタ装置では、第一のコネクタ端子を有する第一のコネクタと、前記第一のコネクタに着脱自在に嵌合され、前記第一のコネクタ端子に電気的に接続される第二のコネクタ端子を有する第二のコネクタとから構成されたコネクタ装置において、前記第一のコネクタは、該第一のコネクタの嵌合方向に沿って形成されたガイド手段と、筐体に電気的に接続される形で前記ガイド手段に形成された第一の導電性部材とを備え、前記第二のコネクタは、前記第一のコネクタの前記ガイド手段が嵌合されるガイド部と、グランドに接続される形で前記ガイド部に形成された第二の導電性部材とを備え、前記第一のコネクタが前記第二のコネクタに嵌合する前に、前記第一のコネクタの前記第一の導電性部材と前記第二のコネクタの前記第二の導電性部材とが当接するように構成したことを特徴とする。
【００１８】
本発明のコネクタ装置では、第一のコネクタ端子を有する第一のコネクタと、前記第一のコネクタに着脱自在に嵌合され、前記第一のコネクタ端子に電気的に接続される第二のコネクタ端子を有する第二のコネクタとから構成されたコネクタ装置において、前記第一のコネクタは、当該第一のコネクタの先端側に配置されて前記第一のコネクタ端子を保護し、該第一のコネクタが前記第二のコネクタに嵌合するときに前記第一のコネクタ端子を露出すべく筐体内に後退する導電性のカバー部材と、前記カバー部材と前記筐体を電気的に接続する第一の導電性部材とを備え、前記第二のコネクタは、前記第一のコネクタの前記カバー部材の一部が当接する位置に配置され且つグランドに接続された第二の導電性部材を備え、前記第一のコネクタが前記第二のコネクタに嵌合する前に、前記カバー部材の一部が前記第二の導電性部材に当接するように構成したことを特徴とする。
【００１９】
【発明の実施の形態】
以下、本発明の実施の形態を図面に基づいて説明する。
【００２０】
［第一実施形態］
＜第一実施形態のコネクタの構造＞
図１は、本発明の第一実施形態に係る情報処理装置のコネクタ嵌合前の状態を示した上面図である。
【００２１】
同図において、１は電子機器（リムーバブルハードディスク等）の筐体であり、２は筐体１に一体になるように配置されている第一のコネクタであり、４は第一のコネクタ２と嵌合する第二のコネクタである。図１に示す状態では、第一のコネクタ２と第二のコネクタ４は離れており、また、後述する静電気を流すための接点も離れている状態である。
【００２２】
５は第二のコネクタ４を取り付けるための基板であり、当該電子機器１が装着される本体装置に設けられている。６は第二のコネクタガイドであり、第一のコネクタ２に形成されている第一のコネクタガイド溝７（図２参照）と嵌合する。また、１５は、第二のコネクタガイド６に形成された導電性の第二のコネクタアース端子である。
【００２３】
図２は、図１に示したコネクタの嵌合部の斜視図であり、図３は、図２とは反対の方向のコネクタ嵌合部の斜視図である。
【００２４】
これらの図において、７は第一のコネクタガイド溝であって、第二のコネクタ４に形成されている第二のコネクタガイド６に咬合される溝である。第二のコネクタガイド６に第一のコネクタガイド溝７が咬合することにより、第一のコネクタ２と第二のコネクタ４が嵌合するための位置決めがなされる。
【００２５】
１３は第一のコネクタガイド溝７に形成された導電性の第一のコネクタアース端子である。第一のコネクタアース端子１３の他端は電子機器の筐体１に接続してあり、筐体１に収容されている電子部品からは電気的に遮断されている。８は筐体１の側面に形成された筐体ガイド溝であって、第一のコネクタガイド溝７につながって形成されている。そして、第一のコネクタアース端子１３と第二のコネクタアース端子１５が接触することにより静電気を逃がすことができる。
【００２６】
また、図３中の３は第一のコネクタ端子部１０を静電気や埃、ゴミ等から保護するための保護蓋であり、９は保護蓋３を移動するためのガイドとなる保護蓋ガイドピンである。
【００２７】
図４は、保護蓋３が閉まっている状態を示す第一のコネクタの斜視図であり、第一のコネクタ２が第二のコネクタ４と嵌合していない場合で、第一のコネクタ端子部１０が露出していない状態を表している。図５は、保護蓋３が開いている状態を示す第一のコネクタ２の斜視図であり、第一のコネクタ２が第二のコネクタ４と嵌合した場合で、保護蓋３が後部に後退して第一のコネクタ端子部１０が露出した状態を表している。
【００２８】
＜第一実施形態のコネクタ嵌合動作＞
次に、図６、図７、図８及び図９を参照しつつ、本実施形態に係る第一のコネクタ２と第二のコネクタ４の嵌合動作について説明する。なお、図６、図７、図８及び図９は、第一実施形態のコネクタ嵌合動作を示す状態遷移図である。
【００２９】
第一のコネクタ２が第二のコネクタ４に嵌合する前の状態は、第一と第二のコネクタ２，４が図６に示すような状態にある。すなわち、第一のコネクタ２側では、保護蓋ガイドピン９をガイドとする保護蓋用戻しバネ１２が保護蓋３を定常位置へ付勢することで保護蓋３が閉まった状態であり、その結果、第一のコネクタ金属端子１１を有する第一のコネクタ端子部１０が筐体１内に収納されている。
【００３０】
一方、第二のコネクタ４側では、第一のコネクタ端子部１０が嵌合する第二のコネクタ端子部１４と、第一のコネクタ２の保護蓋ガイドピン９を逃がすためのガイドピン用穴１７と、第二のコネクタアース端子１５が配置されている。
【００３１】
第二のコネクタ４は、ガイドピン用穴１７を利用して、第二のコネクタ固定ネジ１９により基板５を貫通し固定金具２０に固定されている。第二のコネクタアース端子１５の他端は、第二のコネクタ固定ネジ１９により共締めされて固定金具２０と導通している。固定金具２０は、本体装置側の金属フレームに形成されて第二のコネクタ４を固定し、第二のコネクタアース端子１５を通して静電気を逃がすために用いられる。
【００３２】
コネクタの嵌合時には、第一のコネクタ端子部１０が第二のコネクタ端子部１４と嵌合する前に、まず第一のコネクタガイド溝７と第二のコネクタガイド６が先に接触する。続いて図７に示すように、第一のコネクタガイド溝７に形成されている第一のコネクタアース端子１３が、第二のコネクタガイド６に形成されている第二のコネクタアース端子１５と接触する。
【００３３】
すると、電子機器の筐体１に蓄積された静電気が、第一のコネクタアース端子１３と第二のコネクタアース端子１５を介して、固定金具２０つまり本体装置のグランドへ流れる。
【００３４】
さらに嵌合が進むと、図８に示すように、すでに保護蓋ガイドピン９はガイドピン用穴１７に嵌合し、また第一のコネクタアース端子１３は第二のコネクタアース端子１５に安定して接触している。この状態では、電子機器の筐体１に蓄積されていた静電気は完全に放電された状態となる。このような状態となって初めて、第一のコネクタ端子部１０の第一のコネクタ金属端子１１と第二のコネクタ端子部１４の第二のコネクタ金属端子１６が接触するようになる。また、保護蓋３は、図８の状態では第二のコネクタ４の押圧により後方の筐体１内に移動し始めている。
【００３５】
さらに嵌合が進んだ図９に示す状態では、第一のコネクタ２と第二のコネクタ４が完全に嵌合した状態となり、第一のコネクタ金属端子１１と第二のコネクタ金属端子１６の電気的接合が安定的に行われている。
【００３６】
第二のコネクタ４を内蔵した本体装置１８に、第一のコネクタ２を有するリムーバブルハードディスク１が着脱自在に装着された状態を図１０に示す。
【００３７】
このように本実施形態では、第一のコネクタ金属端子１１と第二のコネクタ金属端子１６が接合する前に、第一のコネクタガイド溝７に形成されている第一のコネクタアース端子１３と、第二のコネクタガイド６に形成されている第二のコネクタアース端子１５とを接触させて、電子機器の筐体１に蓄積された静電気を本体装置のグランドへ強制的に逃がすようにしたので、電子機器の筐体１に内蔵されている電子部品、つまりリムーバブルハードディスク等をコネクタ着脱時の静電気破壊から守ることができる。
【００３８】
［第二実施形態］
＜第二実施形態のコネクタの構造＞
上記第一の実施形態では、第一のコネクタ２側の第一のコネクタガイド溝７と第二のコネクタ４側の第二のコネクタガイド６との嵌合を利用して、第一のコネクタ２が第二のコネクタ４に嵌合する前に、電子機器の筐体１に蓄積された静電気を逃がすようにした。
【００３９】
これに対して、本実施形態では、第一のコネクタ２側の保護蓋３を利用する。すなわち、第一のコネクタ２側の保護蓋３を嵌合前の位置へ付勢する戻しバネ１２に接触する形で第一のコネクタ金属アース端子２２を配置して、保護蓋３と戻しバネ１２と第一のコネクタ金属アース端子２２とを導通状態にし、第二のコネクタ４側では、保護蓋３の突起部３ａが当接する位置に第二のコネクタ金属アース端子２１を配置し、第一のコネクタ２が第二のコネクタ４に嵌合する前に、第一のコネクタ２側の保護蓋３の突起部が第二のコネクタ４側の第二のコネクタ金属アース端子２１に当接するように構成したものである。
【００４０】
図１１、図１２、図１３、図１４、及び図１５は、それぞれ第一実施形態の図１、図２、図３、図４、及び図５に対応しており、共通の要素には同一の符号を付し、その説明を省略する。
【００４１】
＜第二実施形態のコネクタ嵌合動作＞
次に、図１６、図１７、図１８及び図１９を参照しつつ、本実施形態に係る第一のコネクタ２と第二のコネクタ４の嵌合動作について説明する。なお、図１６、図１７、図１８及び図１９は、第二実施形態のコネクタ嵌合動作を示す状態遷移図である。
【００４２】
第一のコネクタ２が第二のコネクタ４に嵌合する前の状態は、第一と第二のコネクタ２，４が図１６に示すような状態にある。すなわち、第一のコネクタ２側では、保護蓋ガイドピン９をガイドとする保護蓋用戻しバネ１２が保護蓋３を定常位置へ付勢することで保護蓋３が閉まった状態であり、その結果、第一のコネクタ金属端子１１を有する第一のコネクタ端子部１０が筐体１内に収納されている。また、第一のコネクタ金属アース端子２２は、電子機器の筐体１に電気的に導通していると共に導電性の保護蓋用戻しバネ１２にも接触し、さらに保護蓋用戻しバネ１２は導電性の保護蓋３に接触している。したがって、保護蓋３は、保護蓋用戻しバネ１２を介して第一のコネクタ金属アース端子２２と電気的に導通している。
【００４３】
一方、第二のコネクタ４側では、第一のコネクタ端子部１０が嵌合する第二のコネクタ端子部１４と、第一のコネクタ２の保護蓋ガイドピン９を逃がすためのガイドピン用穴１７と、第二のコネクタアース端子２１が配置されている。第二のコネクタアース端子２１は、第二のコネクタ４に配置された導電性の端子であり、筐体１内に蓄積された静電気を逃がすために用いられる。第二のコネクタ金属アース端子２１の他端がコネクタ固定ネジ１９により固定金具２０と導通しており、固定金具２０より静電気が本体装置のグランドへ流される。
【００４４】
すなわち、第二のコネクタ４は、ガイドピン用穴１７を利用して、第二のコネクタ固定ネジ１９により基板５を貫通し固定金具２０に固定されている。第二のコネクタアース端子２１の他端は、第二のコネクタ固定ネジ１９により共締めされて固定金具２０と導通している。固定金具２０は、本体装置側の金属フレームに形成されて第二のコネクタ４を固定し、第二のコネクタアース端子２１を通して静電気を逃がすために用いられる。
【００４５】
コネクタの嵌合時には、第一のコネクタ端子部１０が第二のコネクタ端子部１４と嵌合する前に、まず第一のコネクタガイド溝７と第二のコネクタガイド６が先に接触し、第二のコネクタガイド６に第一のコネクタガイド溝７が咬合する。これによって、第一のコネクタ２と第二のコネクタ４の嵌合するための位置決めがなされる。
【００４６】
続いて、図１７に示すように、保護蓋３の突起部３ａと第二のコネクタ金属アース端子２１の先端部が接触する。すると、電子機器の筐体１に蓄積された静電気が、第一のコネクタ金属アース端子２２から保護蓋用戻しバネ１２と保護蓋３を介し、第二のコネクタアース端子１５を経由して、固定金具２０つまり本体装置のグランドへ流れる。
【００４７】
さらに嵌合が進むと、図１８に示すように、すでに保護蓋ガイドピン９はガイドピン用穴１７に嵌合し、また保護蓋３の突起部３ａは、第二のコネクタ金属アース端子２１の先端部に安定的に接触している。保護蓋３は、第二のコネクタ金属アース端子２１により電子機器の筐体１内に後退して、保護蓋用戻しバネ１２が収縮し始めている。このとき、筐体１に蓄積されていた静電気は完全に放電され、このような状態になって始めて、第一のコネクタ金属端子１１と第二のコネクタ金属端子１６が接触するようになる。
【００４８】
さらに嵌合が進んだ図１９に示す状態では、第一のコネクタ２と第二のコネクタ４が完全に嵌合した状態となり、第一のコネクタ金属端子１１と第二のコネクタ金属端子１６の電気的接合が安定的に行われている。
【００４９】
このように本実施形態では、第一のコネクタ金属端子１１と第二のコネクタ金属端子１６が接合する前に、保護蓋３の突起部３ａと第二のコネクタ金属アース端子２１の先端部とを接触させて、電子機器の筐体１に蓄積された静電気を本体装置のグランドへ強制的に逃がすようにしたので、電子機器の筐体１に内蔵されている電子部品等をコネクタ着脱時の静電気破壊から守ることができる。
【００５０】
［第三実施形態］
第三実施形態では、第二のコネクタ４の嵌合口側に設置された本体装置の筐体受け２５に、第一のコネクタ２を備えた電子機器の筐体１が挿入されるのを利用して、第一のコネクタ２が第二のコネクタ４に嵌合する前に、電子機器の筐体１に蓄積された静電気を逃がすようにしたものである。
【００５１】
図２０は、本発明の第三実施形態に係る情報処理装置のコネクタ嵌合前の状態を示した上面図であり、電子機器の筐体１を本体装置側に配置された筐体受け２５に挿入し始めている状態を表している。また、図２１は、図２０に示した状態の斜視図であり、図２２はその要部断面図である。なお、第一実施形態と共通の要素には同一の符号を付し、その説明を省略する。
【００５２】
図２０、図２１及び図２２において、２５は本体装置に配置されている筐体受けであり、２６は電子機器の筐体１側面に配置されているガイド溝８と嵌合する筐体ガイドである。２３は筐体ガイド２６の先端部に配置されている導電性の筐体ガイドアース端子であり、本体装置のグランドに接続されている。
【００５３】
２４は、電子機器側のガイド溝７に配置された第一のコネクタ金属アース端子であり、筐体１に電気的に導通している。
【００５４】
図２０、図２１及び図２２に示す状態では、第一のコネクタ２と第二のコネクタ４はまだ嵌合しておらず、また筐体ガイド２６とガイド溝８とも嵌合していない。
【００５５】
次に、筐体受け２５に対して電子機器の筐体１をさらに挿入した状態について、図２３、図２４及び図２５を用いて説明する。なお、図２３は上面図、図２４は斜視図、及び図２５は要部断面図である。
【００５６】
筐体受け２５に対して電子機器の筐体１をさらに挿入した図２３、図２４及び図２５に示す状態では、筐体ガイド２６と筐体ガイド溝８が咬合し始め、このときに、筐体ガイド２６に配置された筐体ガイドアース端子２３と、第一のコネクタガイド溝７に配置された第一のコネクタ金属アース端子２４とが接触し、電子機器の筐体１に蓄積された静電気が第一のコネクタ金属アース端子２４から筐体ガイドアース端子２３に流れ、本体装置側のグランドへ流れる。
【００５７】
この状態は、第一のコネクタ２と第二のコネクタ４が嵌合する前であり、第一のコネクタ２と第二のコネクタ４が嵌合するときには、電子機器の筐体１に蓄積された静電気が本体装置のグランドへ完全に流されており、電子機器の筐体１に内蔵されている電子部品等をコネクタ着脱時の静電気破壊から守ることができる。
【００５８】
【発明の効果】
以上詳細に説明したように本発明の電子機器等によれば、コネクタの端子を静電気防止用に占有せずに、簡単な構成で安定的に静電気を逃がすことができ、電子機器の筐体に内蔵されている電子部品等をコネクタ着脱時の静電気破壊から守ることが可能になる。
【図面の簡単な説明】
【図１】本発明の第一実施形態に係る情報処理装置のコネクタ嵌合前の状態を示した上面図である。
【図２】図１に示したコネクタの嵌合部の斜視図であり、
【図３】図２とは反対の方向のコネクタ嵌合部の斜視図である。
【図４】保護蓋３が閉まっている状態を示す第一のコネクタの斜視図であり、
【図５】保護蓋３が開いている状態を示す第一のコネクタの斜視図であり、
【図６】第一実施形態のコネクタ嵌合動作を示す状態遷移図である。
【図７】第一実施形態のコネクタ嵌合動作を示す状態遷移図である。
【図８】第一実施形態のコネクタ嵌合動作を示す状態遷移図である。
【図９】第一実施形態のコネクタ嵌合動作を示す状態遷移図である。
【図１０】本体装置にリムーバブルハードディスクが着脱自在に装着された状態を示す図である。
【図１１】本発明の第二実施形態に係る情報処理装置のコネクタ嵌合前の状態を示した上面図である。
【図１２】図１１に示したコネクタの嵌合部の斜視図であり、
【図１３】図１２とは反対の方向のコネクタ嵌合部の斜視図である。
【図１４】第二実施形態に係る保護蓋３が閉まっている状態を示す第一のコネクタの斜視図であり、
【図１５】第二実施形態に係る保護蓋３が開いている状態を示す第一のコネクタの斜視図であり、
【図１６】第二実施形態のコネクタ嵌合動作を示す状態遷移図である。
【図１７】第二実施形態のコネクタ嵌合動作を示す状態遷移図である。
【図１８】第二実施形態のコネクタ嵌合動作を示す状態遷移図である。
【図１９】第二実施形態のコネクタ嵌合動作を示す状態遷移図である。
【図２０】本発明の第三実施形態に係る情報処理装置のコネクタ嵌合前の状態を示した上面図である。
【図２１】図２０に示した状態の斜視図であり、
【図２２】図２０に示した状態の要部断面図である。
【図２３】第三実施形態に係る情報処理装置のコネクタ嵌合時の状態を示した上面図である。
【図２４】図２３に示した状態の斜視図であり、
【図２５】図２３に示した状態の要部断面図である。
【符号の説明】
１　筐体
２　コネクタ
３　保護用蓋
４　コネクタ
５　基板
６　コネクタガイド
７　コネクタガイド溝
８　筐体ガイド溝
９　保護用蓋ガイドピン
１０　コネクタ端子
１１　コネクタ金属端子
１２　保護用蓋バネ
１３　コネクタアース端子
１４　コネクタ端子
１５　コネクタアース端子
１６　コネクタ金属端子
１７　ガイドピン用穴
１８　本体装置
１９　コネクタ固定ネジ
２０　固定金具
２１　第二のコネクタ金属アース端子
２２　第一のコネクタ金属アース端子
２３　筐体ガイドアース端子
２４　第一のコネクタ金属アース端子
２５　筐体受け
２６　筐体ガイド
【図１】
2004039339.tif 000003
【図２】
2004039339.tif 000004
【図３】
2004039339.tif 000005
【図４】
2004039339.tif 000006
【図５】
2004039339.tif 000007
【図６】
2004039339.tif 000008
【図７】
2004039339.tif 000009
【図８】
2004039339.tif 000010
【図９】
2004039339.tif 000011
【図１０】
2004039339.tif 000012
【図１１】
2004039339.tif 000013
【図１２】
2004039339.tif 000014
【図１３】
2004039339.tif 000015
【図１４】
2004039339.tif 000016
【図１５】
2004039339.tif 000017
【図１６】
2004039339.tif 000018
【図１７】
2004039339.tif 000019
【図１８】
2004039339.tif 000020
【図１９】
2004039339.tif 000021
【図２０】
2004039339.tif 000022
【図２１】
2004039339.tif 000023
【図２２】
2004039339.tif 000024
【図２３】
2004039339.tif 000025
【図２４】
2004039339.tif 000026
【図２５】
2004039339.tif 000027